(57)【要約】【課題】  音響装置から出力される音の混じり合いを抑制することを可能とする投写型映像表示装置を提供する。【解決手段】  投写型映像表示装置１００は、光源１０から出射される光を変調する反射型液晶パネル７０と、反射型液晶パネル７０から出射される光を投写面上に投写する投写光学系３１０と、鉛直方向に音を出力する音響装置３３０とを備える。【選択図】  図２
2012118231.tif 000002
【特許請求の範囲】
【請求項１】
水平面によって構成される設置面に配置され、水平面に設けられた投写面上に映像を投写する投写型映像表示装置であって、
光源から出射される光を変調する光変調素子と、
前記光変調素子から出射される光を前記投写面上に投写する投写光学系と、
鉛直方向に音を出力する音響装置とを備えることを特徴とする投写型映像表示装置。
【請求項２】
前記音響装置は、前記設置面の振動によって音を出力することを特徴とする請求項１に記載の投写型映像表示装置。
【請求項３】
前記設置面と対向する反射板を備え、
前記音響装置は、振動板の振動によって生じる音を前記反射板で反射することによって音を出力することを特徴とする請求項１に記載の投写型映像表示装置。
【請求項４】
前記投写光学系は、前記光変調素子から出射される光を前記投写面側に反射するミラー面及び裏面を有する反射ミラーを有しており、
前記音響装置は、前記反射ミラーの前記裏面で音を反射することによって、鉛直方向に音を出力することを特徴とする請求項１に記載の投写型映像表示装置。
【請求項５】
前記音響装置は、前記投写型映像表示装置の正面視において、第１側面側に設けられた第１音出力部及び第２側面側に設けられた第２音出力部を有しており、
前記第１音出力部及び前記第２音出力部から出力される音は、互いに独立して制御されることを特徴とする請求項１に記載の投写型映像表示装置。
【請求項６】
水平面によって構成される設置面に配置され、水平面に設けられた投写面上に映像を投写する投写型映像表示装置であって、
光源から出射される光を変調する光変調素子と、
前記光変調素子から出射される光を前記投写面上に投写する投写光学系と、
前記投写面に向けて音を出力する音響装置とを備えることを特徴とする投写型映像表示装置。
【請求項７】
前記投写光学系は、前記光変調素子から出射される光を前記投写面側に反射するミラー面を有する反射ミラーを有しており、
前記音響装置は、前記反射ミラーの前記ミラー面で音を反射することによって、前記投写面に向けて音を出力することを特徴とする請求項６に記載の投写型映像表示装置。
【請求項８】
前記音響装置は、音の反射を利用せずに、前記投写面に向けて音を直接的に出力することを特徴とする請求項６に記載の投写型映像表示装置。
【請求項９】
前記音響装置は、前記投写型映像表示装置の正面視において、第１側面側に設けられた第１音出力部及び第２側面側に設けられた第２音出力部を有しており、
前記第１音出力部及び前記第２音出力部から出力される音は、互いに独立して制御されることを特徴とする請求項６に記載の投写型映像表示装置。
【発明の詳細な説明】
【技術分野】
【０００１】
本発明は、音響装置を備えた投写型映像表示装置に関する。
【背景技術】
【０００２】
従来、光源から出射される光を変調する光変調素子と、光変調素子から出射される光を投写面上に投写する投写光学系とを備える投写型映像表示装置が知られている。
【０００３】
ところで、スピーカなどの音響装置を有する投写型映像表示装置も提案されている（例えば、特許文献１）。具体的には、音響装置は、壁面などの鉛直面に設けられる投写面に向けて音を出力し、投写面に対向するユーザは、投写面で反射された音を聴く。
【先行技術文献】
【特許文献】
【０００４】
【特許文献１】特開２００７−１９９３２２号公報
【発明の概要】
【発明が解決しようとする課題】
【０００５】
ところで、近年では、床面や机上面などの水平面によって構成される設置面に配置され、水平面に設けられた投写面上に映像を投写する投写型映像表示装置が提案されている。このようなケースでは、投写型映像表示装置が比較的オープンなスペースに配置されることが想定される。また、投写型映像表示装置が机面などのような限られた設置面上に配置されることが想定される。言い換えると、仕切り（パーティション）で仕切られた程度のスペースに複数の投写型映像表示装置が配置され、各投写型映像表示装置が別々の映像を投写する利用シーンが想定される。
【０００６】
従って、各投写型映像表示装置に設けられた音響装置から出力される音が混じり合ってしまう可能性がある。
【０００７】
そこで、本発明は、上述した課題を解決するためになされたものであり、音響装置から出力される音の混じり合いを抑制することを可能とする投写型映像表示装置を提供することを目的とする。
【課題を解決するための手段】
【０００８】
第１の特徴に係る投写型映像表示装置（投写型映像表示装置１００）は、水平面によって構成される設置面に配置され、水平面に設けられた投写面上に映像を投写する。投写型映像表示装置は、光源（光源１０）から出射される光を変調する光変調素子（反射型液晶パネル７０）と、前記光変調素子から出射される光を前記投写面上に投写する投写光学系（投写光学系３１０）と、鉛直方向に音を出力する音響装置（音響装置３３０）とを備える。
【０００９】
第１の特徴において、前記音響装置は、前記設置面の振動によって音を出力する。
【００１０】
第１の特徴において、投写型映像表示装置は、前記設置面と対向する反射板を備える。前記音響装置は、振動板の振動によって生じる音を前記反射板で反射することによって音を出力する。
【００１１】
第１の特徴において、前記投写光学系は、前記光変調素子から出射される光を前記投写面側に反射するミラー面及び裏面を有する反射ミラーを有する。前記音響装置は、前記反射ミラーの前記裏面で音を反射することによって、鉛直方向に音を出力する。
【００１２】
第１の特徴において、前記音響装置は、前記投写型映像表示装置の正面視において、第１側面側に設けられた第１音出力部及び第２側面側に設けられた第２音出力部を有する。前記第１音出力部及び前記第２音出力部から出力される音は、互いに独立して制御される。
【００１３】
第２の特徴に係る投写型映像表示装置（投写型映像表示装置１００）は、水平面によって構成される設置面に配置され、水平面に設けられた投写面上に映像を投写する。投写型映像表示装置は、光源（光源１０）から出射される光を変調する光変調素子（反射型液晶パネル７０）と、前記光変調素子から出射される光を前記投写面上に投写する投写光学系（投写光学系３１０）と、前記投写面に向けて音を出力する音響装置（音響装置３３０）とを備える。
【００１４】
第２の特徴において、前記投写光学系は、前記光変調素子から出射される光を前記投写面側に反射するミラー面を有する反射ミラーを有する。前記音響装置は、前記反射ミラーの前記ミラー面で音を反射することによって、前記投写面に向けて音を出力する。
【００１５】
第２の特徴において、前記音響装置は、音の反射を利用せずに、前記投写面に向けて音を直接的に出力する。
【００１６】
第２の特徴において、前記音響装置は、前記投写型映像表示装置の正面視において、第１側面側に設けられた第１音出力部及び第２側面側に設けられた第２音出力部を有する。前記第１音出力部及び前記第２音出力部から出力される音は、互いに独立して制御される。
【発明の効果】
【００１７】
本発明によれば、音響装置から出力される音の混じり合いを抑制することを可能とする投写型映像表示装置を提供することができる。
【図面の簡単な説明】
【００１８】
【図１】図１は、第１実施形態に係る投写型映像表示装置１００の概略を示す図である。
【図２】図２は、第１実施形態に係る投写型映像表示装置１００の構成を示す図である。
【図３】図３は、第１実施形態に係る音響装置３３０を示す図である。
【図４】図４は、第１実施形態に係る音響装置３３０を示す図である。
【図５】図５は、第１実施形態に係る音響装置３３０の配置例を示す図である。
【図６】図６は、第１実施形態に係る音響装置３３０の配置例を示す図である。
【図７】図７は、第１実施形態に係る音響装置３３０の配置例を示す図である。
【図８】図８は、第１実施形態に係る音響装置３３０の配置例を示す図である。
【図９】図９は、変更例１−１に係る投写型映像表示装置１００の構成を示す図である。
【図１０】図１０は、変更例１−１に係る反射ミラー３１２の一例を示す図である。
【図１１】図１１は、変更例１−１に係る反射ミラー３１２の一例を示す図である。
【図１２】図１２は、変更例１−１に係る反射ミラー３１２の一例を示す図である。
【図１３】図１３は、第２実施形態に係る投写型映像表示装置１００の構成を示す図である。
【図１４】図１４は、第２実施形態に係る音響装置３３０の配置例を示す図である。
【図１５】図１５は、第２実施形態に係る音量制御例を示す図である。
【図１６】図１６は、変更例２−１に係る投写型映像表示装置１００の構成を示す図である。
【図１７】図１７は、変更例２−１に係る音響装置３３０から音が出力される方向を示す図である。
【図１８】図１８は、変更例２−２に係る投写型映像表示装置１００の構成を示す図である。
【発明を実施するための形態】
【００１９】
以下において、本発明の実施形態に係る投写型映像表示装置について、図面を参照しながら説明する。なお、以下の図面の記載において、同一又は類似の部分には、同一又は類似の符号を付している。
【００２０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２１】
［実施形態の概要］
第１に、実施形態に係る投写型映像表示装置は、水平面によって構成される設置面に配置され、水平面に設けられた投写面上に映像を投写する。投写型映像表示装置は、光源から出射される光を変調する光変調素子と、光変調素子から出射される光を投写面上に投写する投写光学系と、鉛直方向に音を出力する音響装置とを備える。
【００２２】
実施形態では、鉛直方向に指向性を持たせて音響装置が音を出力するため、音響装置から出力される音の混じり合いを抑制することができる。
【００２３】
第２に、実施形態に係る投写型映像表示装置は、水平面によって構成される設置面に配置され、水平面に設けられた投写面上に映像を投写する。投写型映像表示装置は、光源から出射される光を変調する光変調素子と、光変調素子から出射される光を投写面上に投写する投写光学系と、投写面に向けて音を出力する音響装置とを備える。
【００２４】
実施形態では、投写面に指向性を持たせて音響装置が音を出力するため、音響装置から出力される音の混じり合いを抑制することができる。
【００２５】
［第１実施形態］
（投写型映像表示装置の概略）
以下において、第１実施形態に係る投写型映像表示装置の概略について、図面を参照しながら説明する。図１は、第１実施形態に係る投写型映像表示装置１００（床面投写）を示す図である。
【００２６】
図１に示すように、投写型映像表示装置１００は、筐体２００を有しており、投写面（不図示）に映像を投写する。筐体２００には、後述する投写光学系３１０から出射される光を透過する透過領域２３１が設けられる。
【００２７】
ここで、投写型映像表示装置１００は、床面や机上などの水平面に配置されており、床面や机上などの水平面に設けられる投写面に映像光を投写する。
【００２８】
第１実施形態では、筐体２００は、底板２１０と、天板２２０と、正面板２３０と、裏面板２４０と、第１側板２５０と、第２側板２６０とを有する。なお、筐体２００は、略直方体の形状を有する。
【００２９】
底板２１０は、筐体２００の設置面と対向する。天板２２０は、底板２１０の反対側に設けられる。正面板２３０は、透過領域２３１を有する。裏面板２４０は、正面板２３０の反対側に設けられる。第１側板２５０及び第２側板２６０は、残りの側板である。
【００３０】
なお、投写型映像表示装置１００のサイズは、２００ｍｌ〜２ｌの容積を有するペットボトル程度である。例えば、投写型映像表示装置１００の容積は、９００ｍｌ程度であり、投写型映像表示装置１００の重量は、８００ｇ程度である。投写型映像表示装置１００によって表示される映像のサイズは、例えば、２０インチ程度である。また、投写型映像表示装置１００と投写面との距離が非常に近いことに留意すべきである。
【００３１】
（投写型映像表示装置の構成）
以下において、第１実施形態に係る投写型映像表示装置の構成について、図面を参照しながら説明する。図２は、第１実施形態に係る投写型映像表示装置１００の構成を示す図である（側面視）。
【００３２】
図２に示すように、投写型映像表示装置１００は、投写光学系３１０と、光源ユニット３２０と、音響装置３３０とを有する。詳細には、投写型映像表示装置１００は、光源１０（光源１０Ｒ、光源１０Ｇ及び光源１０Ｂ）と、ミラー２０と、ダイクロイックミラー３０と、ダイクロイックミラー４０と、ミラー５０と、ＰＢＳキューブ６０と、反射型液晶パネル７０と、投写レンズ群３１１と、反射ミラー３１２とを有する。
【００３３】
光源１０は、複数色の色成分光を個別に出射するように構成される。また、光源１０には、光源１０で生じる熱を放熱するヒートシンクが併設されていてもよい。
【００３４】
光源１０Ｒは、赤成分光Ｒを出射する光源であり、例えば、赤ＬＥＤ（Ｌｉｇｈｔ  Ｅｍｉｔｔｉｎｇ  Ｄｉｏｄｅ）や赤ＬＤ（Ｌａｓｅｒ  Ｄｉｏｄｅ）である。光源１０Ｒには、金属などのように放熱性が良好な部材によって構成されるヒートシンクが併設されてもよい。
【００３５】
光源１０Ｇは、緑成分光Ｇを出射する光源であり、例えば、緑ＬＥＤや緑ＬＤである。光源１０Ｇには、金属などのように放熱性が良好な部材によって構成されるヒートシンクが併設されてもよい。
【００３６】
光源１０Ｂは、青成分光Ｂを出射する光源であり、例えば、青ＬＥＤや青ＬＤである。光源１０Ｂには、金属などのように放熱性が良好な部材によって構成されるヒートシンクが併設されてもよい。
【００３７】
ミラー２０は、光源１０Ｂから出射される青成分光Ｂを反射する。
【００３８】
ダイクロイックミラー３０は、光源１０Ｇから出射される緑成分光Ｇを反射し、光源１０Ｂから出射される青成分光Ｂを透過する。
【００３９】
ダイクロイックミラー４０は、緑成分光Ｇ及び青成分光Ｂを反射し、光源１０Ｒから出射される赤成分光Ｒを透過する。
【００４０】
このように、ダイクロイックミラー３０及びダイクロイックミラー４０は、光源１０Ｒ、緑成分光Ｇ及び青成分光Ｂを合成する。
【００４１】
ミラー５０は、光源１０Ｒ、緑成分光Ｇ及び青成分光Ｂを反射する。
【００４２】
ＰＢＳキューブ６０は、ＰＢＳキューブ６０にとって第１偏光（例えば、Ｓ偏光）の光を反射して、ＰＢＳキューブ６０にとって第２偏光（例えば、Ｓ偏光）の光を透過する。具体的には、ＰＢＳキューブ６０は、ミラー５０で反射された光を反射型液晶パネル７０側に反射する。一方で、ＰＢＳキューブ６０は、反射型液晶パネル７０から出射された光を透過する。
【００４３】
反射型液晶パネル７０は、ＰＢＳキューブ６０で反射された光を変調するとともに、変調された光をＰＢＳキューブ６０側に反射する。反射型液晶パネル７０から出射される光は、ＰＢＳキューブ６０にとって第２偏光（例えば、Ｓ偏光）の光である。
【００４４】
投写レンズ群３１１は、反射型液晶パネル７０から出射される映像光を反射ミラー３１２側に出射する。投写レンズ群３１１は、投写光学系３１０の光軸を中心とする略円形形状のレンズ、投写光学系３１０の光軸を中心とする略円形形状の一部分によって構成される形状（例えば、下半分の半円形状）のレンズなどを含む。
【００４５】
なお、投写レンズ群３１１に含まれるレンズの径は、反射ミラー３１２に近いほど大きいことに留意すべきである。
【００４６】
反射ミラー３１２は、反射型液晶パネル７０から出射された映像光を投写面側に反射する。反射ミラー３１２は、例えば、反射型液晶パネル７０側に凹面を有する非球面ミラーである。
【００４７】
第１実施形態では、投写光学系３１０は、投写レンズ群３１１及び反射ミラー３１２を有する。光源ユニット３２０は、少なくとも光源１０を有する。なお、光源ユニット３２０は、他の構成（例えば、ミラー２０、ダイクロイックミラー３０、ダイクロイックミラー４０など）を含んでもよい。
【００４８】
音響装置３３０は、鉛直方向に音を出力する。具体的には、音響装置３３０は、図３に示すように、磁石３３１と、コイル３３２と、振動板３３３とを有する。
【００４９】
音響装置３３０は、図４に示すように、コイル３３２に流す電流の向きを切り替えることによって、磁石３３１の周辺の磁界を変化させる。これによって、磁石３３１に固定された振動板３３３が振動する。
【００５０】
（音響装置の配置例）
以下において、第１実施形態に係る音響装置の配置例について、図面を参照しながら説明する。図５〜図８は、第１実施形態に係る音響装置３３０の配置を示す図である。なお、図５〜図８は、投写型映像表示装置１００を側面から見た図である。また、図５〜図８では、投写型映像表示装置１００の側面視において、投写型映像表示装置１００の中心がＣ１で示されており、音響装置３３０の音源（磁石３３１の中心）がＣ２で示されている。
【００５１】
例えば、図５に示すように、音響装置３３０は、投写型映像表示装置１００の底面に配置される。図５では、音響装置３３０は、振動板３３３の振動を設置面に伝達することによって音を出力する。また、音響装置３３０の音源Ｃ２（磁石３３１の中心）は、投写型映像表示装置１００の中心Ｃ１と同じ位置である。従って、振動板３３３の振動（音）は、投写型映像表示装置１００の中心から同心円上に広がる。
【００５２】
或いは、図６に示すように、音響装置３３０は、投写型映像表示装置１００の底面に配置される。図６では、音響装置３３０は、振動板３３３の振動を設置面に伝達することによって音を出力する。また、音響装置３３０の音源Ｃ２（磁石３３１の中心）は、投写型映像表示装置１００の中心Ｃ１に対して、距離Ｌだけ投写面側にシフトしている。従って、振動板３３３の振動（音）は、投写面側に向けて指向性を持って広がる。
【００５３】
或いは、図７に示すように、音響装置３３０は、投写型映像表示装置１００の底面に配置される。図７では、音響装置３３０は、振動板３３３の振動を設置面に伝達することによって音を出力する。また、音響装置３３０の音源Ｃ２（磁石３３１の中心）は、投写型映像表示装置１００の中心Ｃ１に対して、距離Ｌだけ投写面側にシフトしている。さらに、磁石３３１は、磁石３３１の底面が水平面に対して角度θを有するように配置される。なお、投写面側（正面板２３０）側から投写面の反対側（裏面板２４０側）に向けて、磁石３３１の底面が下がるように、磁石３３１が配置される。従って、振動板３３３の振動（音）は、投写面側に向けて指向性を持って広がる。
【００５４】
或いは、図８に示すように、音響装置３３０は、光源ユニット３２０の直下に配置される。図８では、音響装置３３０は、設置面と対向する反射板３３４を有しており、振動板３３３の振動によって生じる音を反射板３３４で反射することによって音を出力する。音響装置３３０の音源Ｃ２（磁石３３１の中心）は、投写型映像表示装置１００の中心Ｃ１に対して、距離Ｌだけ投写面側にシフトしている。さらに、磁石３３１は、磁石３３１の底面が水平面に対して角度θを有するように配置される。なお、投写面側（正面板２３０）側から投写面の反対側（裏面板２４０側）に向けて、磁石３３１の底面が下がるように、磁石３３１が配置される。従って、反射板３３４で反射された音は、投写面側に向けて指向性を持って広がる。
【００５５】
なお、反射板３３４は、音響装置３３０ではなくて、例えば、光源ユニット３２０に設けられていてもよい。
【００５６】
（作用及び効果）
第１実施形態では、鉛直方向に指向性を持たせて音響装置３３０が音を出力するため、音響装置３３０から出力される音の混じり合いを抑制することができる。
【００５７】
第１実施形態では、音響装置３３０は、振動板３３３の振動を設置面に伝達することによって音を出力する。このようなケースでは、可干渉性の高い光源１０（例えば、ＬＤ；Ｌａｓｅｒ  Ｄｉｏｄｅ）を用いる場合に、投写面が設けられた設置面の振動によってスペックルノイズを低減することができる。
【００５８】
［変更例１−１］
以下において、第１実施形態の変更例１−１について説明する。以下においては、第１実施形態に対する差異について主として説明する。
【００５９】
第１実施形態では、音響装置３３０は、コイル３３２に流す電流の向きを切り替えることによって音を出力する。これに対して、変更例１−１では、音響装置３３０は、スピーカなどである。なお、音響装置３３０は、鉛直方向に音を出力する。
【００６０】
具体的には、図９に示すように、反射ミラー３１２は、反射型液晶パネル７０から出射される光を反射するミラー面３１２Ａと、ミラー面３１２Ａの反対側に設けられた裏面３１２Ｂとを有する。
【００６１】
音響装置３３０は、裏面３１２Ｂで音を反射させることによって、鉛直方向に音を出力する。なお、反射ミラー３１２は、図１０に示すように、反射型液晶パネル７０側に凹面を有する凹面ミラーであってもよい。反射ミラー３１２は、図１１に示すように、反射型液晶パネル７０側に凸面を有する凸面ミラーであってもよい。反射ミラー３１２は、図１２に示すように、平面ミラーであってもよい。図１０〜図１２に示すように、反射ミラー３１２の種類によって、音響装置３３０の配置が異なることは勿論である。
【００６２】
［第２実施形態］
以下において、第２実施形態について説明する。以下においては、第１実施形態に対する差異について主として説明する。
【００６３】
第１実施形態では、音響装置３３０は、コイル３３２に流す電流の向きを切り替えることによって音を出力する。また、音響装置３３０は、鉛直方向に音を出力する。
【００６４】
これに対して、第２実施形態では、音響装置３３０は、スピーカなどである。また、音響装置３３０は、投写面に向けて音を出力する。
【００６５】
具体的には、図１３に示すように、投写型映像表示装置１００は、図２に示す構成に加えて、撮像素子３４０又は検出部３５０を有する。なお、投写型映像表示装置１００は、検出部３５０に付随して、ミラー３５１及び拡散レンズ３５２を有する。
【００６６】
撮像素子３４０は、カメラなどの撮像素子である。撮像素子３４０は、投写面側を撮像することによって、ユーザの位置を検出する。撮像素子３４０の撮像範囲は、投写面よりも大きいことが好ましい。
【００６７】
検出部３５０は、レーザ光を発光する発光部及びレーザ光の反射光を受光する受光部を有する。検出部３５０は、ユーザで反射されたレーザ光を受光することによって、ユーザの位置を検出する。
【００６８】
なお、ミラー３５１は、レーザ光を投写面側に反射し、レーザ光の反射光を検出部３５０側に反射する。拡散レンズ３５２は、レーザ光を拡散し、レーザ光の反射光を集光する。なお、拡散レンズ３５２によってレーザ光が拡散される範囲は、投写面よりも大きいことが好ましい。
【００６９】
なお、第２実施形態では、撮像素子３４０及び検出部３５０の双方が設けられているが、いずれか一方のみが設けられていてもよい。
【００７０】
ここで、第２実施形態では、音響装置３３０は、反射ミラー３１２のミラー面３１２Ａで音を反射することによって、投写面に向けて音を出力する。
【００７１】
また、第２実施形態では、図１４に示すように、音響装置３３０として、音響装置３３０Ａ及び音響装置３３０Ｂが設けられる。なお、図１４は、投写型映像表示装置１００（投写光学系３１０）を正面から見た図である。
【００７２】
音響装置３３０Ａは、第１側面（例えば、第１側板２５０）側に配置される。音響装置３３０Ｂは、第２側面（例えば、第２側板２６０）側に配置される。なお、音響装置３３０Ａ及び音響装置３３０Ｂから出力される音は、反射ミラー３１２のミラー面３１２Ａで反射されるため、互いに交差することに留意すべきである。
【００７３】
また、音響装置３３０Ａ及び音響装置３３０Ｂから出力される音は、互いに独立して制御される。例えば、図１５に示すように、投写型映像表示装置１００から見て右側にユーザが位置することが検出部３５０（又は、撮像素子３４０）によって検出された場合に、左側の音よりも右側の音を大きくする。上述した図１４に示す例では、音響装置３３０Ａから出力される音よりも音響装置３３０Ｂから出力される音を大きくする。
【００７４】
（作用及び効果）
第２実施形態では、投写面に指向性を持たせて音響装置３３０が音を出力するため、音響装置３３０から出力される音の混じり合いを抑制することができる。
【００７５】
第２実施形態では、音響装置３３０として、音響装置３３０Ａ及び音響装置３３０Ｂが設けられており、音響装置３３０Ａ及び音響装置３３０Ｂから出力される音は、互いに独立して制御される。従って、音の指向性を任意に調整することができる。
【００７６】
第２実施形態では、ユーザの位置を検出する機能（撮像素子３４０又は検出部３５０）が設けられているため、ユーザの位置に応じて、音の指向性を調整することができる。
【００７７】
［変更例２−１］
以下において、第２実施形態の変更例２−１について説明する。以下においては、第２実施形態に対する差異について主として説明する。
【００７８】
第２実施形態では、音響装置３３０は、反射ミラー３１２のミラー面３１２Ａで音を反射することによって、投写面に向けて音を出力する。これに対して、変更例２−１では、音響装置３３０は、音の反射を利用せずに、投写面に向けて音を直接的に出力する。
【００７９】
具体的には、図１６に示すように、音響装置３３０は、投写型映像表示装置１００の上部に設けられており、投写面に向けて音を直接的に出力する。また、図１７に示すように、反射ミラー３１２で反射される光が鉛直線と形成する角度θ１は、音響装置３３０から音が出力される方向が鉛直線と形成する角度θ２と略同様であることが好ましい。
【００８０】
［変更例２−２］
以下において、第２実施形態の変更例２−２について説明する。以下においては、第２実施形態に対する差異について主として説明する。
【００８１】
第２実施形態では、音響装置３３０は、反射ミラー３１２のミラー面３１２Ａで音を反射することによって、投写面に向けて音を出力する。これに対して、変更例２−２では、音響装置３３０は、音の反射を利用せずに、投写面に向けて音を直接的に出力する。
【００８２】
具体的には、図１８に示すように、音響装置３３０は、投写型映像表示装置１００の下部に設けられており、投写面に向けて音を直接的に出力する。詳細には、音響装置３３０は、投写面に向けて音を水平方向に出力する。
【００８３】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８４】
実施形態では、光変調素子として、反射型の液晶パネルを例示したに過ぎない。光変調素子は、ＤＭＤ（Ｄｉｇｉｔａｌ  Ｍｉｃｒｏｍｉｒｒｏｒ  Ｄｅｖｉｃｅ）であってもよく、透過型の液晶パネルであってもよい。
【００８５】
第１実施形態、変更例１−１、変更例２−１、変更例２−２では特に触れていないが、これらの実施態様においても、音響装置３３０として、複数の音響装置が設けられていてもよい。このようなケースでは、複数の音響装置から出力される音は、互いに独立して制御される。
【００８６】
第１実施形態、変更例１−１、変更例２−１、変更例２−２では特に触れていないが、これらの実施態様においても、ユーザの位置を検出する機能（撮像素子３４０又は検出部３５０）が設けられていてもよい。
【００８７】
上述した実施形態では、音響装置３３０が振動板３３３を有するケースについて例示した。しかしながら、音響装置３３０は振動板３３３を有していなくてもよい。例えば、音響装置３３０は、筐体２００の底板２１０を振動させることによって音を出力してもよい。
【符号の説明】
【００８８】
１０…光源、２０…ミラー、３０…ダイクロイックミラー、４０…ダイクロイックミラー、５０…ミラー、６０…ＰＢＳキューブ、７０…反射型液晶パネル、１００…投写型映像表示装置、２００…筐体、２１０…底板、２２０…天板、２３０…正面板、２３１…透過領域、２４０…裏面板、２５０…第１側板、２６０…第２側板、３１０…投写光学系、３１１…投写レンズ群、３１２…反射ミラー、３１２Ａ…ミラー面、３１２Ｂ…裏面、３２０…光源ユニット、３３０…音響装置、３３１…磁石、３３２…コイル、３３３…振動板、３３４…反射板、３４０…撮像素子、３５０…検出部、３５１…ミラー、３５２…拡散レンズ
【図１】
2012118231.tif 000003
【図２】
2012118231.tif 000004
【図３】
2012118231.tif 000005
【図４】
2012118231.tif 000006
【図５】
2012118231.tif 000007
【図６】
2012118231.tif 000008
【図７】
2012118231.tif 000009
【図８】
2012118231.tif 000010
【図９】
2012118231.tif 000011
【図１０】
2012118231.tif 000012
【図１１】
2012118231.tif 000013
【図１２】
2012118231.tif 000014
【図１３】
2012118231.tif 000015
【図１４】
2012118231.tif 000016
【図１５】
2012118231.tif 000017
【図１６】
2012118231.tif 000018
【図１７】
2012118231.tif 000019
【図１８】
2012118231.tif 000020